(57)【要約】【課題】収納物の高さが不揃いにならず、目的物を容易に収納梱包でき、肉薄の台紙を使用し多段積み重ねることに十分耐えられる段ボール箱の提供。【解決手段】底板１に対して、主側壁板４，５と副側壁板４′，４″、５′，５″を直角に起立し、仕切壁板８，９を副側壁板４″，５″に対して折曲し、その副側壁板４″，５″と副側壁板４′，５′を主側壁板４，５に対し直角に折曲し、これによって、底板１上に、主側壁板４，５と副側壁板４′，４″、５′，５″および仕切壁板８，９が囲繞する空室ｂ，ｂ′を区画形成し、主側壁板２，３を起立して副側壁板４′，５′、４″，５″の外面に重合貼着し、蓋板１０を主側壁板２に対し折曲して、空室ｂ，ｂ′の上面開口を閉鎖するとともに、副側壁板１０′，１０″を蓋板１０に対して直角に折曲垂下し、空室ｂ，ｂ′を形成している主側壁板４，５の外面に重合貼着してなる段ボール箱。【選択図】  図２
2004256133.tif 000002
【特許請求の範囲】
【請求項１】
台紙ａが、横長方形の底板１の両側対向長辺縁にそれと同形同大の主側壁板２，３を連設し、同底板１の両側対向短辺縁に略正方形の主側壁板４，５を連設し、その主側壁板４，５の両側対向辺縁には、同じく略正方形の副側壁板４′，４″、５′，５″を連設し、その副側壁板４″，５″の一側辺縁（上記主側壁板４，５と反対側になる辺縁）に仕切壁板８，９を連設し、上記主側壁板２の一側長辺縁（底板１と反対側になる辺縁）に蓋板１０を連設し、その蓋板１０の両側対向短辺縁に副側壁板１０′，１０″を連設し、かつ、その蓋板１０の外側長辺縁に糊代片１２を連設してなり、
その台紙ａの水平配置した底板１に対して、主側壁板４，５を副側壁板４′，４″、５′，５″とともに直角に起立し、仕切壁板８，９を副側壁板４″，５″に対して所要の角度に折曲し、その副側壁板４″，５″および副側壁板４′，５′を上記主側壁板４，５に対し直角に折曲することによって、底板１上に、主側壁板４，５と副側壁板４′，４″、５′，５″および仕切壁板８，９が囲繞する空室ｂ，ｂ′を区画形成し、
主側壁板２，３を底板１に対し直角に起立し、それらを上記空室ｂ，ｂ′を形成している副側壁板４′，５′、４″，５″の外面に重合貼着し、
蓋板１０を、上記主側壁板２に対し直角に折曲して、上記空室ｂ，ｂ′の上面開口を閉鎖するとともに、副側壁板１０′，１０″を蓋板１０に対して直角に折曲垂下し、上記空室ｂ，ｂ′を形成している主側壁板４，５の外面に重合貼着してなることを特徴とする段ボール箱。
【請求項２】
上記仕切壁板８，９が遊端辺縁に糊代片８′，９′を連設していて、その糊代片８′，９′を上記副側壁板４′，５′の内面に貼着し、これによって、上記空室ｂ，ｂ′が、主側壁板４，５と副側壁板４′，４″、５′，５″および隣接重合する仕切壁板８，９とで囲繞形成されていることを特徴とする請求項１記載の段ボール箱。
【請求項３】
請求項１または２記載の段ボール箱を組み立てる初期において、すなわち、主側壁板４，５を直角に起立する前に、底板１の所定部位に目的物を載せておくことを特徴とする段ボール箱による収納梱包法。
【請求項４】
請求項１または２記載の段ボール箱を組み立てる途中において、すなわち、上記空室ｂ，ｂ′を囲繞形成した時点で、目的物をその各空室ｂ，ｂ′に収納することを特徴とする段ボール箱による収納梱包法。
【請求項５】
台紙ｃが、横長方形の底板１５の両側対向長辺縁にそれと同形同大の主側壁板１６，１７を連設し、同底板１５の両側対向短辺縁に略正方形の主側壁板１８，１９を連設し、その主側壁板１８，１９の両側対向辺縁には、同じく略正方形の副側壁板１８′，１８″、１９′，１９″を連設し、こられら副側壁板１８′，１８″、１９′，１９″の各遊端側に仕切壁板２２，２２′、２３，２３′を連設し、上記主側壁板１６の一側長辺縁（底板１５と反対側になる辺縁）に蓋板２４を連設し、かつ、その蓋板２４の外側長辺縁に連設した糊代片２７を連設してなり、
その台紙ｃの水平配置した底板１５に対して、主側壁板１８，１９を副側壁板１８′，１８″、１９′，１９″とともに直角に起立し、仕切壁板２２，２２′、２３，２３′を副側壁板１８′，１８″、１９′，１９″に対して所要の角度に折曲し、その副側壁板１８′，１８″、１９′，１９″を上記主側壁板１８，１９に対し直角に折曲することによって、底板１５上に、主側壁板１８，１９と副側壁板１８′，１８″、１９′，１９″および仕切壁板２２，２２′、２３，２３′とで、これら仕切壁板２２，２２′、２３，２３′のところで連通する状態にした空室ｄ，ｄ′を区画形成し、
主側壁板１６，１７を底板１５に対し直角に起立し、それらを上記空室ｄ，ｄ′を形成している副側壁板１８′，１８″、１９′，１９″の外面に重合貼着し、
蓋板２４を、上記主側壁板１６に対し直角に折曲して、上記空室ｄ，ｄ′の上面開口を閉鎖するとともに、副側壁板２４′，２４″を蓋板２４に対して直角に折曲垂下し、上記空室ｄ，ｄ′を形成している主側壁板１８，１９の外面に重合貼着してなることを特徴とする段ボール箱。
【請求項６】
請求項５記載の段ボール箱を組み立てる初期において、すなわち、主側壁板１８，１９を直角に起立する前に、底板１５の所定部位に目的物を載せておくことを特徴とする段ボール箱による収納梱包法。
【請求項７】
請求項５記載の段ボール箱を組み立てる途中において、すなわち、上記空室ｄ，ｄ′を形成した時点で、目的物をその各空室ｄ，ｄ′に収納することを特徴とする段ボール箱による収納梱包法。
【発明の詳細な説明】
【０００１】
【発明の属する技術分野】
本発明は、内部を仕切壁板で二つの空室に区画した段ボール箱およびそれによる収納梱包法に関する。
【０００２】
【従来の技術】
この種の段ボール箱としては、既に各種構造のものが提案されている。
例えば、特開２００１−３２８６２０号公報（特許文献１）記載のものは、一重の周壁により形成される箱本体内を、仕切壁板で区画した各室の底部に底板の一重部分と二重部分ができ、そこに収納したペットボトル等の目的物の高さが不揃いになるのを、底部全域で底板を二重にして段差を生じないように改善し、そのことにより同時に、底部全域の強度の向上を図っている。
【０００３】
【特許文献１】
特開２００１−３２８６２０号公報
【０００４】
【発明が解決しようとする課題】
段ボール箱に目的物を収納梱包する作業を、所定の自動収納梱包ラインで自動的に行う場合、底部を二重にする上記のような段ボール箱にあっては、当該段ボール箱を組み立てた後に、その段ボール箱に上面開口を通じて収納物を入れざるを得ないと認められる。
【０００５】
それは、組立て途中の一重の底部に目的物を乗載した後で、それらの間に他の底板を挿入することにより二重にすることは困難だからである。
また、目的物を収納梱包した段ボール箱は、その出荷輸送および保管の何れにおいても、複数段に積み重ねられるのが普通であるが、その場合には、特に下段のものが圧し潰されるのを避けなければならない。
そのためには、  特許文献１記載の上記段ボール箱のように、一重の周壁の場合には、肉厚の段ボールを採用するとか、他の補強材を使うなどして所定の補強を行う必要があるという不利が生じる。
【０００６】
そこで本発明は、第１に、底部を一重にして、段差が生じることをなくし収納物の高さが不揃いにならないようにするとともに、組立ての初期または途中適宜の時期にその一重の底部に目的物を載せることにより所定の自動収納梱包ラインにおいて極めて容易に目的物を収納梱包することができ、第２に、周壁を二重にすることにより、比較的肉薄の段ボールを使用しても出荷輸送および保管の際に複数段積み重ねることに、十分耐えられる強度を有する段ボール箱を提供しようとするものである。
【０００７】
【課題を解決するための手段】
請求項１記載の本発明段ボール箱の構成は次のとおりである。
（１）  台紙ａが、横長方形の底板１の両側対向長辺縁にそれと同形同大の主側壁板２，３を連設し、同底板１の両側対向短辺縁に略正方形の主側壁板４，５を連設し、その主側壁板４，５の両側対向辺縁には、同じく略正方形の副側壁板４′，４″、５′，５″を連設し、その副側壁板４″，５″の一側辺縁（上記主側壁板４，５と反対側になる辺縁）に仕切壁板８，９を連設し、上記主側壁板２の一側長辺縁（底板１と反対側になる辺縁）に蓋板１０を連設し、その蓋板１０の両側対向短辺縁に副側壁板１０′，１０″を連設し、かつ、その蓋板１０の外側長辺縁に糊代片１２を連設してなる。
（２）  その台紙ａの水平配置した底板１に対して、主側壁板４，５を副側壁板４′，４″、５′，５″とともに直角に起立し、仕切壁板８，９を副側壁板４″，５″に対して所要の角度に折曲し、その副側壁板４″，５″および副側壁板４′，５′を上記主側壁板４，５に対し直角に折曲することによって、底板１上に、主側壁板４，５と副側壁板４′，４″、５′，５″および仕切壁板８，９が囲繞する空室ｂ，ｂ′を区画形成している。
（３）  主側壁板２，３を底板１に対し直角に起立し、それらを上記空室ｂ，ｂ′を形成している副側壁板４′，５′、４″，５″の外面に重合貼着している。
（４）  蓋板１０を、上記主側壁板２に対し直角に折曲して、上記空室ｂ，ｂ′の上面開口を閉鎖するとともに、副側壁板１０′，１０″を蓋板１０に対して直角に折曲垂下し、上記空室ｂ，ｂ′を形成している主側壁板４，５の外面に重合貼着している。
【０００８】
請求項２記載の本発明は、上記仕切壁板８，９が遊端辺縁に糊代片８′，９′を連設していて、その糊代片８′，９′を上記副側壁板４′，５′の内面に貼着し、これによって、上記空室ｂ，ｂ′が、主側壁板４，５と副側壁板４′，４″、５′，５″および隣接重合する仕切壁板８，９とで囲繞形成されている請求項１記載の段ボール箱である。
【０００９】
請求項３記載の本発明段ボール箱による収納梱包法は、請求項１または２記載の段ボール箱を組み立てる初期において、すなわち、主側壁板２，３を直角に起立する前に、底板１の所定部位に目的物を載せておくことを内容とする。
【００１０】
請求項４記載の本発明段ボール箱による収納梱包法は、請求項１または２記載の段ボール箱を組み立てる途中において、すなわち、上記空室ｂ，ｂ′を囲繞形成した時点で、目的物をその各空室ｂ，ｂ′に収納することを内容とする。
【００１１】
請求項５記載の本発明段ボール箱の構成は次のとおりある。
（１）  台紙ｃが、横長方形の底板１５の両側対向長辺縁にそれと同形同大の主側壁板１６，１７を連設し、同底板１５の両側対向短辺縁に略正方形の主側壁板１８，１９を連設し、その主側壁板１８，１９の両側対向辺縁には、同じく略正方形の副側壁板１８′，１８″、１９′，１９″を連設し、こられら副側壁板１８′，１８″、１９′，１９″の各遊端側に仕切壁板２２，２２′、２３，２３′を連設し、上記主側壁板１６の一側長辺縁（底板１５と反対側になる辺縁）に蓋板２４を連設し、かつ、その蓋板２４の外側長辺縁に連設した糊代片２７を連設してなる。
（２）  その台紙ｃの水平配置した底板１５に対して、主側壁板１８，１９を副側壁板１８′，１８″、１９′，１９″とともに直角に起立し、仕切壁板２２，２２′、２３，２３′を副側壁板１８′，１８″、１９′，１９″に対して所要の角度に折曲し、その副側壁板１８′，１８″、１９′，１９″を上記主側壁板１８，１９に対し直角に折曲することによって、底板１５上に、主側壁板１８，１９と副側壁板１８′，１８″、１９′，１９″および仕切壁板２２，２２′、２３，２３′とで、これら仕切壁板２２，２２′、２３，２３′のところで連通する状態にした空室ｄ，ｄ′を区画形成している。
（３）  主側壁板１６，１７を底板１５に対し直角に起立し、それらを上記空室ｄ，ｄ′を形成している副側壁板１８′，１８″、１９′，１９″の外面に重合貼着している。
（４）  蓋板２４を、上記主側壁板１６に対し直角に折曲して、上記空室ｄ，ｄ′の上面開口を閉鎖するとともに、副側壁板２４′，２４″を蓋板２４に対して直角に折曲垂下し、上記空室ｄ，ｄ′を形成している主側壁板１８，１９の外面に重合貼着している。
【００１２】
請求項６記載の本発明段ボール箱による収納梱包法は、請求項５記載の段ボール箱を組み立てる初期において、すなわち、主側壁板１８，１９を直角に起立する前に、底板１５の所定部位に目的物を載せておくことを内容とする。
【００１３】
請求項７記載の本発明段ボール箱による収納梱包法は、請求項５記載の段ボール箱を組み立てる途中において、すなわち、上記空室ｄ，ｄ′を形成した時点で、目的物をその各空室ｄ，ｄ′に収納することを内容とする。
【００１４】
【発明の実施の形態】
まず、図１〜５に示した第１実施形態に係る段ボール箱Ａについて説明する。
図１に展開状態にして示した台紙ａは、１枚の段ボールを次の形状に裁断してなるものである。
【００１５】
１は横長方形の底板で、その底板１の両側対向長辺縁にそれと同形同大の主側壁板２，３を連設している。
４，５は上記底板１の両側対向短辺縁に連設された略正方形の主側壁板で、その主側壁板４，５の両側対向辺縁には、同じく略正方形の副側壁板４′，４″、５′，５″を連設している。
こられ副側壁板４′，４″、５′，５″は、上記主側壁板２，３との間に切り込み６，６′、７，７′を形成し、かつ、その主側壁板２，３と並列をなす配置になっている。
【００１６】
８，９は上記副側壁板４″，５″の一側辺縁（主側壁板４，５と反対側になる辺縁）に連設した仕切壁板、８′，９′はその仕切壁板８，９の遊端辺縁に連設した糊代片である。
【００１７】
１０は上記主側壁板２の一側長辺縁（底板１と反対側になる辺縁）に連設した蓋板で、この蓋板１０は、底板１（および主側壁板２，３）と同形同大の横長方形をなしている。
１０′，１０″は蓋板１０の両側対向短辺縁に連設した副側壁板で、上記副側壁板４′，５′との間に切り込み１１，１１′を形成している。
【００１８】
１２は蓋板１０の外側長辺縁に連設した糊代片、１３……は、主側壁板４，５および副側壁板１０′，１０″の所要位置に開設した手掛け用孔である。
【００１９】
上記台紙ａを、例えば所定の自動収納梱包ライン上で、本発明段ボール箱に組み立てるには以下のようにする。
【００２０】
まず、水平配置した台紙ａの底板１に対して主側壁板４，５を副側壁板４′，４″、５′，５″とともに直角に起立する。
次に、仕切壁板８，９を副側壁板４″，５″に対して直角に折曲するとともに、その副側壁板４″，５″および副側壁板４′，５′を上記主側壁板４，５に対し直角に折曲し、かつ、仕切壁板８，９の遊端辺縁の上記糊代片８′，９′を上記副側壁板４′，５′の内面に貼着する。
これによって、底板１上に、主側壁板４，５と副側壁板４′，４″、５′，５″および仕切壁板８，９とが囲繞する空室ｂ，ｂ′が、その仕切壁板８，９を隣接重合させた状態で区画形成される（図２）。
【００２１】
続いて、主側壁板２，３を底板１に対し直角に起立し、それらを上記空室ｂ，ｂ′を形成している副側壁板４′，５′、４″，５″の外面に重合貼着する（図３）。
その後、蓋板１０を、上記主側壁板２に対し直角に折曲して、上記空室ｂ，ｂ′の上面開口を閉鎖する。
【００２２】
さらに、副側壁板１０′，１０″および糊代片１２を蓋板１０に対して直角に折曲垂下し、副側壁板１０′，１０″については、上記空室ｂ，ｂ′を形成している主側壁板４，５の外面に重合貼着し、また、糊代片１２については、副側壁板４″，５″の外面に重合貼着している上記主側壁板３の外面上縁部に重合貼着する。
【００２３】
このようにして、所期の段ボール箱Ａ（図４）を組み立てるものであるが、収納梱包しようとする目的物は、その組立ての初期において、すなわち、主側壁板４，５を直角に起立する前に底板１の所定部位に載せておくか、あるいは、組立て途中において、すなわち、主側壁板４，５と副側壁板４′，４″、５′，５″および仕切壁板８，９とで空室ｂ，ｂ′を囲繞形成した時点で、その各空室ｂ，ｂ′に収納するかするもので、そのいずれを採択するかは、自動収納梱包ラインの仕様等に基づき適宜決定するとよいことである。
【００２４】
上記空室ｂ，ｂ′に収納した目的物の取出しは、蓋板１０をその輪郭線に沿って切断することにより、あるいは、蓋板１０と主側壁板２または３（およびそれに重合する副側壁板４′，５′または４″，５″）をそれらを連続させたままその輪郭線に沿って切断することにより開き、空室ｂ，ｂ′の上面または側面から双方の目的物を取り出せばよいものである。
【００２５】
しかし、段ボール箱Ａによれば、例えば、一方の空室ｂまたはｂ′に収納している目的物だけを取り出し、他方の空室ｂ′またはｂの目的物についてはそのまま収納梱包状態にしておき、それについては後刻あらためて取り出すようにすることができる。
【００２６】
それには、例えば一方の空室ｂから目的物を取り出す場合について述べると、蓋板１０の空室ｂの上面開口周縁に対応している部分、および、重合している主側壁板４と副側壁板１０′の辺縁部分、すなわち、図４の点線１４で示す部分に沿って所要のカッターによる切込みを入れ、これにより、重合する主側壁板４と副側壁板１０′およびこれらに連続する蓋板１０の半部を、開くと、空室ｂがその上面と側面を開放する。
したがって、一方の空室ｂ内の目的物は、この開放部分を通じ容易に取り出すことができる。他方の空室ｂ′は、開放されることなく、当該目的物をそのまま収納梱包状態に維持する（図５）。
【００２７】
なお、上記のように、蓋板１０等をその輪郭線に沿って切断する場合、または点線１４で示す部分に沿って切り開く場合、カッターによる以外、例えば、該当部分に予めミシン目を入れておくとかテープ等の切り離し材を沿設しておき、これらに沿って引きちぎるようにしてもよい。
【００２８】
次に、図６〜１０に示した第２実施形態に係る段ボール箱Ｂにつき説明する。
図６に展開状態にして示した台紙ｃは、１枚の段ボールを次の形状に裁断してなるものである。
【００２９】
１５は横長方形の底板で、その底板１５の両側対向長辺縁にそれと同形同大の主側壁板１６，１７を連設している。
１８，１９は上記底板１５の両側対向短辺縁に連設された略正方形の主側壁板で、その主側壁板１８，１９の両側対向辺縁には、同じく略正方形の副側壁板１８′，１８″、１９′，１９″を連設している。
こられ副側壁板１８′，１８″、１９′，１９″は、上記主側壁板１６，１７との間に切り込み２０，２０′、２１，２１′を形成し、かつ、その主側壁板１６，１７と並列をなす配置になっている。
【００３０】
２２，２２′、２３，２３′は、上記副側壁板１８′，１８″、１９′，１９″の各遊端側に連設した仕切壁板である。
【００３１】
２４は上記主側壁板１６の一側長辺縁（底板１５と反対側になる辺縁）に連設した蓋板で、この蓋板２４は、底板１５（および主側壁板１６，１７）と同形同大の横長方形をなしている。
２４′，２４″は蓋板２４の両側対向短辺縁に連設した副側壁板で、上記副側壁板１８′，１９′との間に切り込み２５，２６を形成している。
【００３２】
２７は蓋板２４の外側長辺縁に連設した糊代片、２８……は、主側壁板１８，１９および副側壁板１０′，１０″の所要位置に開設した手掛け用孔である。
【００３３】
上記台紙ｃを、例えば所定の自動収納梱包ライン上で、本発明段ボール箱に組み立てるには以下のようにする。
【００３４】
まず、水平配置した台紙ｃの底板１５に対して主側壁板１８，１９を副側壁板１８′，１８″、１９′，１９″とともに直角に起立する。
次に、仕切壁板２２，２２′、２３，２３′を副側壁板１８′，１８″、１９′，１９″に対して所要の角度に折曲するとともに、その副側壁板１８′，１８″、１９′，１９″を上記主側壁板１８，１９に対し直角に折曲する。
これによって、底板１５上に、主側壁板１８，１９と副側壁板１８′，１８″、１９′，１９″および仕切壁板２２，２２′、２３，２３′とにより、その仕切壁板２２，２２′、２３，２３′のところで連通する状態にした空室ｄ，ｄ′が区画形成される（図７）。
【００３５】
続いて、主側壁板１６，１７を底板１５に対し直角に起立し、それらを上記空室ｄ，ｄ′を形成している副側壁板１８′，１８″、１９′，１９″の外面に重合貼着する（図８）。
その後、蓋板２４を、上記主側壁板１６に対し直角に折曲して、上記空室ｄ，ｄ′の上面開口を閉鎖する。
【００３６】
さらに、副側壁板２４′，２４″および糊代片２７を蓋板２４に対して直角に折曲垂下し、副側壁板２４′，２４″については、上記空室ｄ，ｄ′を形成している主側壁板１８，１９の外面に重合貼着し、また、糊代片２７については、副側壁板１８″，１９″の外面に重合貼着している上記主側壁板１７の外面上縁部に重合貼着する。
【００３７】
このようにして、所期の段ボール箱Ｂ（図９）を組み立てるものであるが、収納梱包しようとする目的物は、その組立ての初期において、すなわち、主側壁板１８，１９を直角に起立する前に底板１５の所定部位に載せておくか、あるいは、組立て途中において、すなわち、上記のようにして空室ｄ，ｄ′を囲繞形成した時点で、その各空室ｄ，ｄ′に収納するかするもので、そのいずれを採択するかは、自動収納梱包ラインの仕様等に基づき適宜決定するとよいことである。
【００３８】
上記空室ｄ，ｄ′に収納した目的物の取出しは、蓋板２４をその輪郭線に沿って切断することにより、あるいは、蓋板２４と主側壁板１６または１７（およびそれに重合する副側壁板１８′，１９′または１８″，１９″）とをそれらを連続させたままその輪郭線に沿って切断することにより開き、空室ｄ，ｄ′の上面または側面から双方の目的物を取り出せばよいものである。
【００３９】
しかし、段ボール箱Ｂによれば、例えば、一方の空室ｄまたはｄ′に収納している目的物だけを取り出し、他方の空室ｄ′またはｄの目的物についてはそのまま収納梱包状態にしておき、それについては後刻あらためて取り出すようにすることができる。
【００４０】
それには、例えば一方の空室ｄから目的物を取り出す場合について述べると、蓋板２４の空室ｄの上面開口周縁に対応している部分、すなわち、図９の点線２８で示す部分に沿って所要のカッターによる切込みを入れ、空室ｄを囲繞形成している上記各部材の上側部分ｅを主側壁板１８の外方に、折り曲げることにより開くと、空室ｄがその上面を開放する（図１０）。
したがって、一方の空室ｄ内の目的物は、この開放部分を通じ容易に取り出すことができる。
また、上記上側部分ｅを閉じることによって、他方の空室ｄ′に当該目的物をそのまま収納梱包状態に維持することができる。
【００４１】
なお、上記のように、蓋板２４等をその輪郭線に沿って切断する場合、または点線２８で示す部分に沿って切り開く場合、カッターによる以外、例えば、該当部分に予めミシン目を入れておくとかテープ等の切り離し材を沿設しておき、これらに沿って引きちぎるようにしてもよい。
【００４２】
【発明の効果】
以上詳述したところから明らかなように、本発明によれば次の効果を奏するものである。
【００４３】
本発明段ボール箱は、目的物を収納する空室ｂ，ｂ′またはｄ，ｄ′が、その底部を一重の底板１または１５で形成し、段差を生じることをなくしているから当該収納物の高さを不揃いにすることなく整然と収納できる。
このことは、自動収納梱包ラインにおいて、上記空室ｂ，ｂ′またはｄ，ｄ′に目的物を収納梱包するのを支障なく正確に実施できることになる。
【００４４】
本発明段ボール箱は、上記空室ｂ，ｂ′がその全周壁を二重壁とするから、また、上記空室ｄ，ｄ′は仕切壁板のところを除き全周壁を二重壁とするから、いずれにしても、その周壁が補強され、比較的肉薄の段ボールを使用しても出荷輸送および保管の際に複数段積み重ねることに、十分耐えられる強度を有する。
【図面の簡単な説明】
【図１】本発明の第１実施形態に係る段ボール箱の台紙の展開図である。
【図２】上記段ボール箱の組立て状況を説明するための斜視図である。
【図３】同じく上記段ボール箱の組立て状況を説明するための斜視図である。
【図４】上記段ボール箱の組上がり状態の斜視図である。
【図５】一方の空室を開放し目的物を取り出せる状態にしている上記段ボール箱の斜視図である。
【図６】本発明の第２実施形態に係る段ボール箱の台紙の展開図である。
【図７】上記段ボール箱の組立て状況を説明するための斜視図である。
【図８】同じく上記段ボール箱の組立て状況を説明するための斜視図である。
【図９】上記段ボール箱の組上がり状態の斜視図である。
【図１０】一方の空室を開放し目的物を取り出せる状態にしている上記段ボール箱の斜視図である。
【符号の説明】
ａ，ｃ                  台紙
１，１５                底板
２〜５，１６〜１９      主側壁板
４′，４″，５′，５″  副側壁板
１０′，１０″，１８′，１８″、１９′，１９″    副側壁板
８，９、２２，２２′、２３，２３′                仕切壁板
１０，２４              蓋板
８′，９′、１２，２７  糊代片
ｂ，ｂ′，ｄ，ｄ′      空室
【図１】
2004256133.tif 000003
【図２】
2004256133.tif 000004
【図３】
2004256133.tif 000005
【図４】
2004256133.tif 000006
【図５】
2004256133.tif 000007
【図６】
2004256133.tif 000008
【図７】
2004256133.tif 000009
【図８】
2004256133.tif 000010
【図９】
2004256133.tif 000011
【図１０】
2004256133.tif 000012